(57)【要約】【課題】雄コネクタ側電線束の扇状の広がり部から雌コネクタ側電線束の扇状の広がり部までの範囲を、単一の保護部材により保護することができ、保護部材を雄形と雌コネクタに被せて固定する作業を短時間かつ容易に行えて低コスト化につながるコネクタ接続部の保護構造を提供する。【解決手段】雄コネクタ１と雌コネクタ２とが互いに接続され、雄コネクタ側電線束３の電線端末部である扇状部分５と、雌コネクタ側電線束４の電線端末部である扇状部分６とを有するコネクタ接続部Ｃにおいて、軸方向に圧縮するとコネクタを収容できる断面積を有するよう拡径する編組チューブ７の中程部分７ｃが拡径した状態で、雄コネクタ側電線束３の電線端末部である扇状部分５から雌コネクタ側電線束４の電線端末部である扇状部分６までの範囲に被さり、端部７ｂが、雌コネクタ側電線束４の電線端末部である扇状部分６の近傍位置でテープ巻き固定部８により固定される。【選択図】図１
2017152095.tif 000002
【特許請求の範囲】
【請求項１】
雄コネクタと雌コネクタとが互いに接続され、雄コネクタ側電線束の電線端末部である扇状部分と、雌コネクタ側電線束の電線端末部である扇状部分とを有するコネクタ接続部において、軸方向に圧縮するとコネクタを収容できる断面積を有するよう拡径する編組チューブの両側の端部を除く中程部分が筒軸方向に圧縮されることにより拡径した状態で、雄コネクタ側電線束の電線端末部である扇状部分から雌コネクタ側電線束の電線端末部である扇状部分までの範囲に被さるとともに、前記編組チューブの片側または両側の前記端部が、コネクタ接続部の両側の電線の電線端末部である扇状部分の近傍位置でテープ巻き固定部またはバンドにより固定されていることを特徴とするコネクタ接続部の保護構造。
【発明の詳細な説明】
【技術分野】
【０００１】
本発明は、コネクタ接続部の保護構造に関する。
【背景技術】
【０００２】
従来、本数が多い複数の電線をコネクタに接続する場合、複数の電線をコネクタの近くまでは、テープ巻きして電線束とし、さらに必要に応じて電線束をコルゲートチューブで覆い、複数の電線のテープ巻きして端部を扇状に広げて電線の端部の設けられた端子をコネクタの端子収容孔に挿し込み、電線の扇状の広がり部分とコネクタの電線寄りの外周面にテープを巻くことで電線を保護している（例えば、特許文献１参照）。
【０００３】
特許文献２の図２には、雄コネクタと雌コネクタとが接続され、雄コネクタに接続された電線に粘着テープで固定された筒状の雄側の電線保護具と、雌コネクタに接続された電線に粘着テープで固定された筒状の雌側の電線保護具とが、雄コネクタの外周部で重ねられ、雄コネクタと雌コネクタとを覆った状態に保護している。電線保護具は、止水が行えるようにゴム製またはエラストマー製のカップ形状である。
【０００４】
図３は、従来例に係るコネクタ接続部の保護構造を示すもので、雄コネクタ１１と雌コネクタ１２とが互いに接続され、雄コネクタ１１に接続された電線束１３の電線の扇状部分１３ａから雄コネクタ１１の電線寄りの外周面にわたり塩化ビニル製の粘着テープを巻いてなる電線保護部１４を有し、また、雌コネクタ１２に接続された電線束１５の電線の扇状部分１５ａから雌コネクタ１２の電線寄りの外周面にわたり綿製の粘着テープを巻いてなる電線保護部１６を有する。
【先行技術文献】
【特許文献】
【０００５】
【特許文献１】特開２０１３−１８７００４号公報
【特許文献２】特開２０１０−１６５５２３号公報
【発明の概要】
【発明が解決しようとする課題】
【０００６】
特許文献２に開示されたコネクタ接続部の保護構造によれば、ゴムまたはエラストマーからなる成形体である２種類の電線保護具を用いて、コネクタ接続部を密閉状態に包み込むので、電線保護具のコストが高く付くとともに、各電線保護具の電線に対し固定する作業と、電線保護具同士を嵌合する作業に時間がかかる。また、止水が不要である場合には、上記の電線保護具はオーバースペックとなるという問題点があった。
【０００７】
また、図３に示すコネクタ接続部の保護構造によれば、コネクタ１１，１２同士の接続時に、雄コネクタ１１側の綿製の粘着テープを巻いてなる電線保護部１４が、雄コネクタ１１と雌コネクタ１２との嵌合面に噛み込んでしまい、コネクタ１１，１２同士の接続が良好に行われない恐れがあるという問題点があった。
【０００８】
本発明は、上述のような課題を解決するためになされたもので、雄コネクタに接続された電線の扇状の広がり部から雌コネクタに接続された電線の扇状の広がり部までの範囲を、単一の保護部材により保護することができ、保護部材を雄形と雌コネクタに被せて固定する作業を短時間かつ容易に行えて低コスト化につながるコネクタ接続部の保護構造を提供することを目的としている。
【課題を解決するための手段】
【０００９】
本発明に係るコネクタ接続部の保護構造は、上記目的達成のため、雄コネクタと雌コネクタとが互いに接続され、雄コネクタ側電線束の電線端末部である扇状部分と、雌コネクタ側電線束の電線端末部である扇状部分とを有するコネクタ接続部において、軸方向に圧縮するとコネクタを収容できる断面積を有するよう拡径する編組チューブの両側の端部を除く中程部分が筒軸方向に圧縮されることにより拡径した状態で、雄コネクタ側電線束の電線端末部である扇状部分から雌コネクタ側電線束の電線端末部である扇状部分までの範囲に被さるとともに、前記編組チューブの片側または両側の前記端部が、コネクタ接続部の両側の電線の電線端末部である扇状部分の近傍位置でテープ巻き固定部またはバンドにより固定されている構成である。
【００１０】
この構成により、本発明に係るコネクタ接続部の保護構造は、軸方向に圧縮するとコネクタを収容できる断面積を有するよう拡径する編組チューブを用いる。編組チューブの一端側を拡径して雄コネクタまたは雌コネクタに被せ、さらに電線端末部である扇状部分を越えて電線に被せ、編組チューブの両端が拡径していない状態とし、編組チューブの少なくとも一端をテープ巻き固定部またはバンドにより固定するものである。
【発明の効果】
【００１１】
本発明によれば、雄コネクタに接続された電線の扇状の広がり部から雌コネクタに接続された電線の扇状の広がり部までの範囲を、単一の保護部材により保護することができ、保護部材を雄形と雌コネクタに被せて固定する作業を短時間かつ容易に行えて低コスト化につながるコネクタ接続部の保護構造を提供することができる。
【図面の簡単な説明】
【００１２】
【図１】本発明の実施の形態に係るコネクタ接続部の保護構造について一部を切り欠いて示す正面図である。
【図２】本発明の実施の形態に係るコネクタ接続部の保護構造を示す正面図である。
【図３】本発明の実施の形態に係るコネクタ接続部の保護構造に用いる編組チューブを示すもので、（ａ）図は編組チューブに軸方向の圧縮力が加わらないときの編み組状態を示す拡大部分図であり、（ｂ）図は編組チューブに軸方向の圧縮力が加わったときの編み組状態を示す拡大部分図である。
【図４】従来のコネクタ接続部の保護構造を示す正面図である。
【発明を実施するための形態】
【００１３】
以下、本発明を実施の形態に係るコネクタ接続部の保護構造について図面を用いて説明する。
【００１４】
図１、図２に示すように、コネクタ接続部Ｃは、雄コネクタ側電線束３の端部に設けられた雄端子が雄コネクタ１の端子収容孔に収容され、電線４の端部に設けられた雌端子が雌コネクタ２の端子収容孔に収容され、雄コネクタ１と雌コネクタ２とが互いに接続されるとともに、コネクタ内部において雄端子と雌端子とが接続されている。雄コネクタ側電線束３は、電線端末部である扇状部分５を有する。雌コネクタ側電線束４は、電線端末部である扇状部分６を有する。
【００１５】
上記構成のコネクタ接続部Ｃは編組チューブ７により覆われている。編組チューブ７は、軸方向に圧縮すると、上記の雄コネクタ１と雌コネクタ２との接続部コネクタを収容できる断面積を有するよう拡径するものが適用される。編組チューブ７は、両側の端部７ａ，７ｂを除く中程部分７ｃが、筒軸方向に圧縮されることにより拡径した状態で、雄コネクタ側電線束３の電線端末部である扇状部分５から雌コネクタ側電線束４の電線端末部である扇状部分６までの範囲に被さっている。編組チューブ７の両側の端部７ａ，７ｂは、拡径しない状態で、雄コネクタ側電線束３、雌コネクタ側電線束４に被さっている。
【００１６】
編組チューブ７は、片側の端部７ｂが、雌コネクタ側電線束４の電線端末部である扇状部分６の近傍位置でテープ巻き固定部８により固定されている。端部７ｂは、テープ巻き固定部８により締め付けられると筒軸方向に伸びて縮径し雌コネクタ側電線束４に密着する。これにより、端部７ｂはテープ巻き固定部８により雌コネクタ側電線束４にしっかり固定される。なお、テープ巻き固定部８は、編組チューブ７の両側の端部７ａ，７ｂに対して設けてもよい。また、テープ巻き固定部８に替えてバンドで締め付けるようにしてもよい。
【００１７】
編組チューブ７は、図３（ａ）に示すように、弾性、絶縁性、直線性を有する並列する例えば４本の樹脂糸がねじれ角が大きい右巻スパイラルと左巻スパイラルに、かつ右巻スパイラルと左巻スパイラルと格子状に編まれて円筒状の編組筒である。樹脂糸は、例えば線径が０．１〜０．５ｍｍのナイロンのモノフィラメントまたはポリエステルのモノフィラメントもしくはマルチフィラメントを格子状に筒編みされたものが用いられる。編組チューブ７は、筒軸方向に圧縮力が加わると、図３（ｂ）に示すように、編み組状態が図３（ａ）に示す状態から図３（ｂ）に示す状態に変化して拡径し、拡径したときにチューブ内にコネクタを挿し込める筒径となるものが用いられる。軸方向に圧縮すると拡径が大きくなるようにするには、並列する樹脂糸の本数を多くし、または樹脂糸間に隙間を設ける。編組チューブ７は、特開２０１６−１７２５６号公報に開示した編組機および編組線の製造方法によって製造される。編組チューブ７は、市販品を用いてもよい。例えば、ハサミでキレイにカットしたときに端部で糸のほぐれが起きない編組チューブとして、デンカエレクトロン株式会社のＮＦＬ−１２，ＮＦＬ−１９，ＮＦＬ−２５，ＮＦＬ−３０といった型番のＮＦＬチューブを用いることができる。
【００１８】
上記構成のコネクタ接続部の保護構造は、一方の電線の扇状部分とコネクタとの接続を行う前に、電線の扇状部分を編組チューブに挿通し、雄コネクタと雌コネクタとの接続を終えてから、編組チューブを、拡径するようにしてコネクタ接続部に被せ、編組チューブの少なくとも一端をテープ巻き固定部またはバンドにより固定してもよい。
【００１９】
上記構成のコネクタ接続部の保護構造は、雄コネクタ１に接続された電線端末部である扇状部分５から雌コネクタ２に接続された電線端末部である扇状部分６までの範囲を、単一の保護部材である編組チューブ７により保護することができ、編組チューブ７を雄形と雌形のコネクタ１，２に被せ、編組チューブ７の端部７ｂを雌コネクタ側電線束４に固定する作業を短時間かつ容易に行えて低コスト化につながる。
【００２０】
本発明によれば、雄コネクタに接続された電線の扇状の広がり部から雌コネクタに接続された電線の扇状の広がり部までの範囲を、単一の保護部材により保護することができ、保護部材を雄形と雌コネクタに被せて固定する作業を短時間かつ容易に行えて低コスト化につながるという効果を有し、コネクタ接続部の保護構造の全般に有用である。
【符号の説明】
【００２１】
１  雄コネクタ
２  雌コネクタ
３  雄コネクタ側電線束
４  雌コネクタ側電線束
５，６  扇状部分
７  編組チューブ
７ａ，７ｂ  端部
７ｃ  中程部分
８  テープ巻き固定部
Ｃ  コネクタ接続部
【図１】
2017152095.tif 000003
【図２】
2017152095.tif 000004
【図３】
2017152095.tif 000005
【図４】
2017152095.tif 000006